(57)【要約】【課題】浴光装置から光が照射された使用者の見栄えを改善することができる。【解決手段】浴光装置１は、身体を活性化させる光を出射する。浴光装置１は、青色光を出射する青色光源７１と、赤色光を出射する赤色光源７２とを備える。また、光には、青色光及び赤色光が含まれる。さらに、青色光は、波長４４５ｎｍ以上５００ｎｍ以下の間にピーク波長を有する。また、赤色光は、波長６００ｎｍ以上６８０ｎｍ以下の間にピーク波長を有する。さらに、青色光のピーク波長の強度は光のスペクトルの中で最も強く、赤色光のピーク波長の強度は光のスペクトルの中で２番目に強い。そして、赤色光のピーク波長に対する青色光のピーク波長の相対強度を１とした場合に、赤色光のピーク波長の相対強度は０．１以上０．５以下である。【選択図】図３
2019024952.tif 000002
【特許請求の範囲】
【請求項１】
身体を活性化させる光を出射する浴光装置であって、
青色光を出射する青色光源と、
赤色光を出射する赤色光源とを備え、
前記光には、前記青色光及び前記赤色光が含まれ、
前記青色光は、波長４４５ｎｍ以上５００ｎｍ以下の間にピーク波長を有し、
前記赤色光は、波長６００ｎｍ以上６８０ｎｍ以下の間にピーク波長を有し、
前記青色光のピーク波長の強度は、前記光のスペクトルの中で最も強く、
前記赤色光のピーク波長の強度は、前記光のスペクトルの中で２番目に強く、
前記赤色光のピーク波長に対する前記青色光のピーク波長の相対強度を１とした場合に、前記赤色光のピーク波長の相対強度は０．１以上０．５以下である
浴光装置。
【請求項２】
さらに、白色光を出射する白色光源を備え、
前記光には、前記白色光がさらに含まれ、
前記光のスペクトルにおける波長５５０ｎｍ以上６００ｎｍ以下の間で極小となる、前記青色光のピーク波長に対する相対強度は、０．０３以上である
請求項１に記載の浴光装置。
【請求項３】
前記青色光源は、複数の青色発光素子を備え、
前記赤色光源は、複数の赤色発光素子を備え、
さらに、
前記青色光源及び前記赤色光源が実装された、環状の基板を有する発光モジュールと、
略半球状の内面が形成され、前記内面で反射した前記光が出射する第１の開口部を有する筐体と、
前記第１の開口部に取り付けられ、前記内面で反射した前記光が通過する第２の開口部が形成される枠体とを備え、
前記発光モジュールは、前記筐体の前記内面に向けて前記光を出射させる状態で、前記枠体に配置される
請求項１又は２に記載の浴光装置。
【請求項４】
さらに、前記第２の開口部を覆い、前記光を配光制御する配光パネルを備える
請求項３に記載の浴光装置。
【請求項５】
前記配光パネルは、当該浴光装置の光軸を基準として当該浴光装置から３４°の方向から４０°の方向までにおいて、前記配光パネルを前記第２の開口部に設けない場合に対して、前記配光パネルを前記第２の開口部に設ける場合では、前記３４°の方向から４０°の方向までの明るさを３０％以上低減する特性を有する
請求項４に記載の浴光装置。
【発明の詳細な説明】
【技術分野】
【０００１】
本開示は、光が照射された使用者の見栄えを改善することができる浴光装置に関する。
【背景技術】
【０００２】
従来、青色光を発する第１発光体と、第１発光体と異なる発光ピーク波長を持つ青色光を発する第２発光体とを備える発光装置が特許文献１に開示されている。発光装置では、青色光を出射することで、生体リズムを調節することができる。
【先行技術文献】
【特許文献】
【０００３】
【特許文献１】特開２００５−６３６８７号公報
【発明の概要】
【発明が解決しようとする課題】
【０００４】
しかしながら、このような浴光装置では、青色光を照射された使用者の顔等が青白く見えてしまう。このため、他人に違和感を与えてしまい、見栄えが悪い。
【０００５】
そこで、本開示は、浴光装置から光が照射された使用者の見栄えを改善することができる浴光装置を提供することを目的とする。
【課題を解決するための手段】
【０００６】
上記目的を達成するため、本開示の一態様に係る浴光装置は、身体を活性化させる光を出射する浴光装置であって、青色光を出射する青色光源と、赤色光を出射する赤色光源とを備え、前記光には、前記青色光及び前記赤色光が含まれ、前記青色光は、波長４４５ｎｍ以上５００ｎｍ以下の間にピーク波長を有し、前記赤色光は、波長６００ｎｍ以上６８０ｎｍ以下の間にピーク波長を有し、前記青色光のピーク波長の強度は、前記光のスペクトルの中で最も強く、前記赤色光のピーク波長の強度は、前記光のスペクトルの中で２番目に強く、前記赤色光のピーク波長に対する前記青色光のピーク波長の相対強度を１とした場合に、前記赤色光のピーク波長の相対強度は０．１以上０．５以下である。
【発明の効果】
【０００７】
本開示によれば、浴光装置から光が照射された使用者の見栄えを改善することができる。
【図面の簡単な説明】
【０００８】
【図１】図１は、実施の形態１に係る浴光装置を示す斜視図である。
【図２】図２は、実施の形態１に係る浴光装置を示す斜視図である。
【図３】図３は、実施の形態１に係る浴光装置の発光モジュールを示す平面図である。
【図４】図４は、実施の形態１に係る浴光装置のスペクトルを示す図である。
【図５】図５は、実施の形態１に係る浴光装置を机に配置した場合における、使用者と使用者の隣人との関係を示す図である。
【図６】図６は、実施の形態１に係る浴光装置の配光特性を示す図である。
【図７】図７は、実施の形態２に係る浴光装置の発光モジュールを示す平面図である。
【図８】図８は、実施の形態２に係る浴光装置のスペクトルを示す図である。
【図９】図９は、浴光装置の青色光源、赤色光源、白色光源及び緑色光源の各々の個数と色度座標を示す図である。
【発明を実施するための形態】
【０００９】
（概要）
一般的に、所定の波長を有する光を人の眼から取り入れることで、身体の活性化を行えることが知られている。身体を活性化する光は、青色光がある。青色光では、所定時間以上青色を含む光を浴びると、生体リズムを改善する効果があることが知られている。ここで、生体リズムとは、人の生理現象として、一定の時刻になると自然に眠くなり、一定時間眠ると自然に目が覚めるという生体リズムが約１日の周期で行われているリズムである。特に、午前から午後３時頃までに青色の光を浴びると、メラトニン、セロトニン等の生体ホルモンの生成量を促進する効果があることが知られている。このため、この青色光を同時に眼から取り入れることで、身体の活性化を行うことが望ましい。
【００１０】
また、人の生体ホルモンに一番高く影響を与える感度（生体作用量又は生体刺激量ともいう）は、４６５ｎｍから４９０ｎｍまでの間にピークを有することが知られている。このため、人の眼にあてる光は、４６５ｎｍから４９０ｎｍまでの波長の光が多く含まれていることが望ましい。
【００１１】
このような光を毎日浴光すると、昼間ではセロトニンの分泌量が増加することによって覚醒し易くなり、夜間ではメラトニンの分泌量が増加することによって質の高い睡眠を得ることができる。その結果、人は、生体リズムを調節することができる。
【００１２】
以下、本開示の実施の形態について、図面を参照しながら説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１３】
また、「略＊＊」との記載は、「略同一」を例に挙げて説明すると、全く同一はもとより、実質的に同一と認められるものを含む意図である。
【００１４】
なお、各図は、模式図であり、必ずしも厳密に図示されたものではない。また、各図において、実質的に同一の構成に対しては同一の符号を付しており、重複する説明は省略又は簡略化する。
【００１５】
以下、本開示の実施の形態１に係る浴光装置について説明する。
【００１６】
（実施の形態１）
［構成］
まず、本実施の形態に係る浴光装置１の構成について、図１〜図３を用いて説明する。
【００１７】
図１は、実施の形態１に係る浴光装置１を示す斜視図である。図２は、実施の形態１に係る浴光装置１を示す斜視図である。図３は、実施の形態１に係る浴光装置１の発光モジュール７を示す平面図である。
【００１８】
図１及び図２に示すように、浴光装置１は、身体を活性化する光を出射することで、これを浴びた使用者の生体リズムを整えることができる装置である。身体を活性化させる光とは、青色光である。使用者は、例えば、オフィス、住居等におけるデスク、棚、化粧台等にこの浴光装置１を載置し、身体を活性化させる光を浴びることができる。本実施の形態では、浴光装置１から出射される光には、青色光及び赤色光が含まれる。
【００１９】
なお、ここでいう青色光とは、厳密な意味で青色を意味しているのではなく、通常、青色と見える光を意味し、本実施の形態では例えば４４５ｎｍから５００ｎｍまでの波長を有する光である。
【００２０】
浴光装置１は、筐体３と、枠体５と、発光モジュール７と、配光パネル９と、操作部１１と、アダプタ１３と、載置台２０とを有する。
【００２１】
筐体３は、前側で開口した略半球状の球体であり、前側に形成された第１の開口部３１を有する。前側は、浴光装置１から光が出射する方向側である。筐体３には、略半球状の内面３０ａが形成されている。筐体３は、内殻部３０と外殻部４０とを有する。内殻部３０及び外殻部４０は、前側で開口した略半球状の球体である。つまり、筐体３は、内殻部３０と外殻部４０とで構成された二重構造体である。第１の開口部３１には、略半球状の内面３０ａが形成されている。第１の開口部３１は、内面３０ａで反射した光が出射する。
【００２２】
筐体３の材料は、アクリルやポリカーボネート等の白色樹脂材料等で形成される。筐体３の内面３０ａは、つまり内殻部３０の内面３０ａであり、光を反射して第２の開口部５０ａに導く反射面として構成されている。筐体３の内面３０ａには、光を反射する白色塗料がコーティングされている。本実施の形態では、筐体３にハイキャスト３１５５ＣＡ（白トナー３％）を用いた。なお、筐体３の内面３０ａは、白色樹脂に限定されず、白色樹脂又は金属によって構成することができる。筐体３の内面３０ａには、金属反射膜がコーティングされていてもよい。
【００２３】
枠体５は、平板の円環状であり、筐体３の第１の開口部３１に着脱可能に取り付けられる。枠体５は、第２の開口部５０ａが形成されている。第２の開口部５０ａは、内面３０ａで反射した青色光、赤色光等の光が通過する。
【００２４】
発光モジュール７は、平板の円環状であり、枠体５の筐体３側の面に配置されている。つまり、発光モジュール７は、筐体３の内面３０ａに向けて光を出射させる状態で、枠体５に配置される。浴光装置１を前側から平面視した場合に、発光モジュール７は、枠体５と重なっている。より具体的には、発光モジュール７は、発光モジュール７の中心軸と枠体５の中心軸とが略一致する状態で、枠体５に配置されている。本実施の形態では、発光モジュール７は、２つの円孤状の基板７０と、基板７０に実装される青色光源７１と、基板７０に実装される赤色光源７２とを有する。
【００２５】
基板７０は、枠体５と略平行となるように、枠体５に固定されている。基板７０は、青色光源７１及び赤色光源７２に給電するリード線等の配線部材１６ａを介して操作部１１と電気的に接続されている。基板７０は、青色光源７１及び赤色光源７２が発した熱を放熱する放熱部に熱的に接続されていてもよい。
【００２６】
図３に示すように、青色光源７１は、複数の青色発光素子７１ａを備える。また、赤色光源７２は、複数の赤色発光素子７２ａを備える。複数の青色発光素子７１ａ及び複数の赤色発光素子７２ａは、基板７０の形状に沿って円環状に配列されている。具体的には、基板７０の外径側７０ａでは青色発光素子７１ａが基板７０の外径に沿って略等間隔に配列され、基板７０の内径側７０ｂでは複数の青色発光素子７１ａ及び複数の赤色発光素子７２ａが基板７０の内径に沿って略等間隔に配列されている。つまり、発光モジュール７では、青色光源７１及び赤色光源７２が、内径側７０ｂと外径側７０ａとで二重の円環状となるように実装されている。なお、本実施の形態では、青色光源７１及び赤色光源７２が、二重の円環状に実装されているが、一重でもよく、三重以上でもよい。
【００２７】
図１及び図２に示すように、青色光源７１及び赤色光源７２は、光の出射方向が後方向に向いている。後方向は、浴光装置１から光が出射する方向と反対方向である。青色光源７１は、筐体３の内面３０ａに向けて青色光を出射する。青色光は、波長４４５ｎｍ以上５００ｎｍ以下の間にピーク波長を有する。本実施の形態では、青色光のピーク波長は、４６５ｎｍ近傍である。青色光のピーク波長の強度は、光のスペクトルの中で最も強い。赤色光源７２は、筐体３の内面３０ａに向けて赤色光を出射する。赤色光は、波長６００ｎｍ以上６８０ｎｍ以下の間にピーク波長を有する。本実施の形態では、赤色光のピーク波長は、６３５ｎｍ近傍である。赤色光のピーク波長の強度は、光のスペクトルの中で２番目に強い。
【００２８】
また、本実施の形態に係る浴光装置１における青色光源７１が出射する青色光のピーク波長は、４６５ｎｍ近傍であるため、汎用の青色光源７１を採用することができる。このため、特注の青色光源７１を用いなくても、使用者の身体を活性化させることができる。このため、この浴光装置１では、製造コストの高騰化が抑制される。
【００２９】
青色発光素子７１ａ及び赤色発光素子７２ａは、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。青色光源７１及び赤色光源７２は、操作部１１に設けられている図示しない制御回路により制御されて点灯及び消灯を行う。また、青色光源７１及び赤色光源７２は、操作部１１に設けられている制御回路により制御されて調光及び調色が行われる。青色発光素子７１ａ及び赤色発光素子７２ａは、ＬＥＤチップである。
【００３０】
なお、青色発光素子７１ａ及び赤色発光素子７２ａは、このような構成に限定されず、青色発光素子７１ａ及び赤色発光素子７２ａの基板７０上にＬＥＤチップが直接的に実装されたＣＯＢ（Ｃｈｉｐ  Ｏｎ  Ｂｏａｒｄ）型のモジュールが用いられてもよい。また、青色光源７１及び赤色光源７２が有する青色発光素子７１ａ及び赤色発光素子７２ａは、ＬＥＤに限定されず、例えば、半導体レーザ等の半導体発光素子、または、有機ＥＬ（Ｅｌｅｃｔｒｏ  Ｌｕｍｉｎｅｓｃｅｎｃｅ）、無機ＥＬ等のＥＬ素子等その他の固体発光素子であってもよい。
【００３１】
配光パネル９は、枠体５の筐体３側の面に固定され、枠体５の第２開口部を覆っている。配光パネル９は、浴光装置１の正面方向への指向性を高め、浴光装置１の光軸Ｊと交差する方向への広がりを抑制する配光制御機能を有する。配光パネル９が枠体５の第２の開口部５０ａに配置された場合は、配光パネル９が枠体５の第２の開口部５０ａに配置されていない場合よりも、光軸Ｊと交差する方向へ光の広がりが抑制される。配光パネル９は、透光性のパネルに配光制御機能を有する配光フィルムを張り付けることで構成されていてもよく、配光パネル９の前側又は後側の面に微細な凹凸状の加工が施された構成でもよい。本実施の形態では、配光パネル９に３Ｍジャパン社製の配光フィルムを用いている。
【００３２】
操作部１１は、発光モジュール７の発光態様を制御するためのスイッチ又は入力部として形成される。操作部１１は、配線部材１６ａを介して発光モジュール７と電気的に接続され、かつ、他の配線部材１６ｂを介してアダプタ１３と電気的に接続されている。操作部１１では、外部からの電力が供給されると、電源ランプが点灯する。操作部１１は、３つのボタン１１ａ、１１ｂ、１１ｃを有し、浴光装置１が出射する光に含まれる青色光の強度を調節することが可能である。具体的には、１つ目のボタン１１ａは光に含まれる強度Ｘの青色光をＹ分間照射し、２つ目のボタン１１ｂは光に含まれる強度（Ｘ／２）の青色光を（２×Ｙ）分間照射することができ、３つ目のボタン１１ｃは光に含まれる強度（Ｘ／３）の青色光を（３×Ｙ）分間照射することができる。なお、照射する時間は、分単位でなくてもよく、秒単位、時間単位であってもよい。
【００３３】
アダプタ１３は、外部からの電力を供給することが可能なコンセントに接続するＡＣ−ＤＣアダプタ１３である。アダプタ１３は、例えば、商用電源等の外部から供給される交流電力を直流電力に変換する。
【００３４】
載置台２０は、一部が切り欠かれた略円環状であり、筐体３を載置することが可能である。載置台２０は、筐体３の移動を抑制する。なお、載置台２０は、あくまでも筐体３を載置する台である場合は、浴光装置１の必須の構成要件ではない。また、載置台２０は、操作部１１と一体化されていてもよい。具体的には、載置台２０には、操作部１１の複数のボタン１１ａ、１１ｂ、１１ｃが設けられていてもよい。つまり、載置台２０は、操作部１１を兼ね備えていてもよい。また、枠体５に操作部１１を含んでいても構わない。つまり、枠体５の一部が操作部１１となっていても構わない。
【００３５】
このような浴光装置１では、発光モジュール７が発した光は、筐体３の内面３０ａに入射して反射され、枠体５の第２の開口に向かう。そして、内面３０ａで反射された光は、第２の開口を覆う配光パネル９の前側の面に入射して配光パネル９を透光し、配光パネル９で配光制御されて、配光パネル９の前側の面から出射する。こうして、正面方向への指向性が高められた光が、配光パネル９から出射される。正面方向は、浴光装置１から光が出射する方向であり、前方向である。
【００３６】
次に、本実施の形態の浴光装置１のスペクトルを、図４を用いて説明する。
【００３７】
図４は、実施の形態１に係る浴光装置１のスペクトルを示す図である。
【００３８】
図４に示すように破線は実験１の浴光装置１から出射したスペクトルを示すグラフであり、一点鎖線は実験２の浴光装置１から出射したスペクトルを示すグラフであり、実線は本実施の形態の浴光装置１から出射したスペクトルを示すグラフである。
【００３９】
実験１の浴光装置１のスペクトルでは、赤色光のピーク波長に対する青色光のピーク波長の相対強度を１とした場合、波長６００ｎｍ以上６８０ｎｍ以下の間のピーク波長の相対強度が０．０９３である。この場合では、浴光装置１の使用者の顔が青白く見えてしまう。このため、他人に違和感を与えてしまい、見栄えが悪い。
【００４０】
実験２の浴光装置１のスペクトルでは、赤色光のピーク波長に対する青色光のピーク波長の相対強度を１とした場合、波長６００ｎｍ以上６８０ｎｍ以下の間のピーク波長の相対強度が０．５１２である。この場合では、浴光装置１の使用者の顔が赤みがかって見えてしまう。このため、他人に違和感を与えてしまい、見栄えが悪い。
【００４１】
本実施の形態の浴光装置１では、赤色光のピーク波長に対する青色光のピーク波長の相対強度を１とした場合、波長６００ｎｍ以上６８０ｎｍ以下の間のピーク波長の相対強度が０．２４５である。この場合では、浴光装置１の使用者の顔が青白く見えたり、赤みがかって見えたりすることが改善された。このため、他人に違和感を与え難く、見栄えが悪くなり難い。
【００４２】
このため、浴光装置１から出射する光に含まれる赤色光は、赤色光のピーク波長に対する青色光のピーク波長の相対強度を１とした場合に、赤色光の相対強度を０．１以上０．５以下とした。特に、赤色光である波長６００ｎｍ以上６８０ｎｍ以下の間のピーク波長の相対強度は、０．２以上０．３以下であることが好ましい。
【００４３】
次に、本実施の形態の浴光装置１を実際に使用した場合における、使用者の隣人Ｈ２が感じる眩しさについて、図５及び図６を用いて説明する。
【００４４】
図５は、実施の形態１に係る浴光装置１を机に配置した場合における、使用者Ｈ１と使用者の隣人Ｈ２との関係を示す図である。図６は、実施の形態１に係る浴光装置１の配光特性を示す図である。
【００４５】
まず、図５に示すように、浴光装置１の光軸Ｊ上に存在する、浴光装置１から使用者Ｈ１までの距離を５０ｃｍとし、光軸Ｊと直交する方向に存在する使用者の隣人Ｈ２から使用者Ｈ１までの距離を１２０ｃｍとする場合を想定する。この場合において、使用者の隣人Ｈ２が存在する範囲は、光軸Ｊに対する、浴光装置１と使用者の隣人Ｈ２とを結ぶ仮想直線の角度が約３４°〜４０°の範囲と想定される。つまり、３４°〜４０°の範囲で、使用者の隣人Ｈ２に浴光装置１からの光が入射すると想定する。
【００４６】
図６の（ａ）に示すように、破線は配光パネル９を第２の開口部５０ａに設けていない場合を示す配光曲線であり、実線は配光パネル９を第２の開口部５０ａに設けた場合を示す配光曲線である。配光パネル９を第２の開口部５０ａに設けることで、光軸Ｊと交差する方向への広がりが抑制された分、光軸Ｊ方向、つまり、正面方向への指向性が高まった。光軸Ｊ方向は、浴光装置１から出射する光の方向である。
【００４７】
配光パネル９を第２の開口部５０ａに設けた場合では、配光パネル９を第２の開口部５０ａに設けていない場合に比べて、正面方向の指向性が高まっているため、図６の（ｂ）の実線で示すように、配光パネル９を第２の開口部５０ａに設けた場合に、発光モジュール７に供給する投入電力を低下させた。この場合、配光パネル９を第２の開口部５０ａに設けた場合の配光曲線と、配光パネル９を第２の開口部５０ａに設けていない場合の配光曲線とが光軸Ｊで一致するように、発光モジュール７に供給する投入電力を低下すると、本実施の形態では、光軸Ｊ方向１７％の投入電力を低下させることができた。本実施の形態では、青色光源７１から出射する青色光の放射電力は、４．５Ｗ〜９．９Ｗである。
【００４８】
仮想直線と破線とが交差する点Ｐ１とし、仮想直線と実線とが交差する点Ｐ２とし、浴光装置１の位置を点Ｐ０とすると、点Ｐ０と点Ｐ１との第１長さと、点Ｐ０と点Ｐ２との第２長さとの比は約４：６である。つまり、配光パネル９を第２の開口部５０ａに設けた場合では、配光パネル９を第２の開口部５０ａに設けていない場合に比べて、使用者の隣人Ｈ２へ照射される光の明るさが約３３％低減している。このため、配光パネル９を第２の開口部５０ａに設けた場合では、配光パネル９を第２の開口部５０ａに設けていない場合に比べて、使用者の隣人Ｈ２へ照射される光の明るさが３０％以上低減したとした。
【００４９】
このことから、本実施の形態の配光パネル９は、当該浴光装置１の光軸Ｊを基準として当該浴光装置１から３４°の方向から４０°の方向までにおいて、配光パネル９を第２の開口部５０ａに設けない場合に対して、配光パネル９を第２の開口部５０ａに設ける場合では、３４°の方向から４０°の方向までの明るさを３０％以上低減する特性を有する。つまり、隣人Ｈ２から浴光装置１を眺めた場合に、隣人Ｈ２はまぶしさがより下がるように感じることができる。
【００５０】
［作用効果］
次に、本実施の形態における浴光装置１の作用効果について説明する。
【００５１】
上述したように、本実施の形態に係る浴光装置１は、身体を活性化させる光を出射する。浴光装置１は、青色光を出射する青色光源７１と、赤色光を出射する赤色光源７２とを備える。また、光には、青色光及び赤色光が含まれる。さらに、青色光は、波長４４５ｎｍ以上５００ｎｍ以下の間にピーク波長を有する。また、赤色光は、波長６００ｎｍ以上６８０ｎｍ以下の間にピーク波長を有する。さらに、青色光のピーク波長の強度は光のスペクトルの中で最も強度が強く、赤色光のピーク波長の強度は光のスペクトルの中で２番目に強度が強い。そして、赤色光のピーク波長に対する青色光のピーク波長の相対強度を１とした場合に、赤色光のピーク波長の相対強度は０．１以上０．５以下である。
【００５２】
これによれば、青色光は波長４４５ｎｍ以上５００ｎｍ以下にピーク波長を有し、赤色光は、波長６００ｎｍ以上６８０ｎｍ以下にピーク波長を有する。そして、光のスペクトルの中で、青色光のピーク波長の強度を１とした場合に、赤色光のピーク波長の強度は０．１以上０．５以下である。このような青色光と赤色光との混合光によれば、使用者の顔が青白く見えたり、赤みがかって見えたりすることが抑制される。このため、浴光装置１を使用している使用者を他人が見たとしても、他人に違和感を与え難い。
【００５３】
したがって、この浴光装置１では、浴光装置１から光が照射された使用者の見栄えを改善することができる。
【００５４】
また、本実施の形態に係る浴光装置１において、青色光源７１は複数の青色発光素子７１ａを備え、赤色光源７２は複数の赤色発光素子７２ａを備える。浴光装置１は、さらに、青色光源７１及び赤色光源７２が実装された、環状の基板７０を有する発光モジュール７と、略半球状の内面３０ａが形成され、内面３０ａで反射した光が出射する第１の開口部３１を有する筐体３と、第１の開口部３１に取り付けられ、内面３０ａで反射した光が通過する第２の開口部５０ａが形成される枠体５とを備える。そして、発光モジュール７は、筐体３の内面３０ａに向けて光を出射させる状態で、枠体５に配置される。
【００５５】
これによれば、発光モジュール７は、環状の基板７０、並びに、基板７０上で環状に配列された複数の青色発光素子７１ａ及び複数の赤色発光素子７２ａを有する。青色光源７１及び赤色光源７２は、筐体３の略半球状の内面３０ａに向けて、青色光及び赤色光を含む光を出射させる状態で枠体５に配置されている。これにより、青色光及び赤色光等を含む光は、筐体３の内面３０ａで反射して第２の開口部５０ａを通過する。このため、この浴光装置１では、正面方向の指向性を高めることができる。
【００５６】
また、本実施の形態に係る浴光装置１は、さらに、第２の開口部５０ａを覆い、光を配光制御する配光パネル９を備える。
【００５７】
これによれば、配光パネル９は、第２の開口部５０ａ通過する青色光及び赤色光を含む光を配光制御する。このため、浴光装置１の正面方向への指向性が高められるとともに、浴光装置１と交差する方向への光の広がりを抑制することができる。このため、例えば、オフィス等の環境下において、使用者が浴光装置１を使用したとしても、隣の人が浴光装置１による光を眩しいと感じ難くなる。
【００５８】
また、配光パネル９を第２の開口部５０ａに設けることで、発光モジュール７への投入電力を低下させることができるため、浴光装置１のランニングコストを低廉化することができる。
【００５９】
また、本実施の形態に係る浴光装置１において、配光パネル９は、当該浴光装置１の光軸Ｊを基準として当該浴光装置１から３４°の方向から４０°の方向までにおいて、配光パネル９を第２の開口部５０ａに設けない場合に対して、配光パネル９を第２の開口部５０ａに設ける場合では、３４°の方向から４０°の方向までの明るさを３０％以上低減する特性を有する。
【００６０】
これによれば、配光パネル９は、第２の開口部５０ａを覆い、青色光、赤色光及び白色光を含む光を配光制御する。この配光パネル９は、浴光装置１の光軸Ｊに対する浴光装置１を基準とした３４°の方向において、配光パネル９を枠体５に設けない場合に対して、配光パネル９を枠体５の第２の開口部５０ａに設ける場合では、３４°の方向から４０°の方向までの明るさを３０％以上低減する。このため、浴光装置１の正面方向への指向性が高められるとともに、浴光装置１と交差する方向への光の広がりを抑制することができる。このため、例えば、オフィス等の環境下において、使用者が浴光装置１を使用したとしても、隣の人が浴光装置１による光を眩しいと感じ難くなる。
【００６１】
また、配光パネル９を第２の開口部５０ａに設けることで、発光モジュール７への投入電力を低下させることができるため、浴光装置１のランニングコストを低廉化することができる。
【００６２】
（実施の形態２）
［構成］
本実施の形態に係る浴光装置の構成について説明する。
【００６３】
図７は、実施の形態２に係る浴光装置の発光モジュール２０７を示す平面図である。
【００６４】
本実施の形態では、発光モジュール２０７は白色光源７３を有する点で実施の形態１と異なっている。また、本実施の形態の浴光装置は、特に明記しない場合、実施の形態１と同様であり、同一の構成については同一の符号を付して構成に関する詳細な説明を省略する。
【００６５】
図７に示すように、発光モジュール２０７は、白色光を出射する白色光源７３を有する。白色光源７３は、複数の白色発光素子７３ａを備える。青色発光素子７１ａ、赤色発光素子７２ａ及び白色発光素子７３ａは、基板７０の内径に沿って略等間隔に配列されている。つまり、発光モジュール２０７では、内径側７０ｂと外径側７０ａとで二重の円環状となるように青色光源７１、赤色光源７２及び白色光源７３が実装されている。
【００６６】
また、白色発光素子７３ａも、いわゆるＳＭＤ型、ＣＯＢ型のＬＥＤ素子であってもよく、半導体レーザ等の半導体発光素子、または、有機ＥＬ（Ｅｌｅｃｔｒｏ  Ｌｕｍｉｎｅｓｃｅｎｃｅ）、無機ＥＬ等のＥＬ素子等その他の固体発光素子であってもよい。
【００６７】
また、本実施の形態において、身体を活性化させる光とは、青色光及び白色光である。白色光では、所定時間以上白色を含む光を浴びると、脳波が活性する効果があることが知られている。ここでいう白色光とは、厳密な意味で白色を意味しているのではなく、通常、白色と見える光を意味し、可視光線の各色の光（例えば、青色光、緑色光、赤色光等の光）が混ざった光である。
【００６８】
次に、本実施の形態の浴光装置のスペクトルを、図８を用いて説明する。
【００６９】
図８は、実施の形態２に係る浴光装置のスペクトルを示す図である。
【００７０】
図８に示すように、実線は実験例１の浴光装置から出射したスペクトルを示すグラフであり、破線は実験例２の浴光装置から出射したスペクトルを示すグラフであり、一点鎖線は実験例３の浴光装置から出射したスペクトルを示すグラフである。
【００７１】
光の波長が約５００ｎｍ以上６３０ｎｍ以下において、実験例１の浴光装置は、実験例２、３の浴光装置よりも相対強度が小さい。特に、実験例１の浴光装置では、光の波長が約５５０ｎｍ以上６００ｎｍ以下の間での極小となる、青色光のピーク波長に対する相対強度が約０となっている。つまり、実験例１の浴光装置からは、黄色、黄緑色等の光がほとんど出射されない。このため、実験例１の浴光装置では、例えば使用者が着ている服の色合いが、実際の色合いと異なって見えてしまい、他人に違和感を与えることとなる。
【００７２】
一方、実験例２、３の浴光装置では、光の波長が約５５０ｎｍ以上６００ｎｍ以下の間での極小となる、青色光のピーク波長に対する相対強度が０．０３以上、かつ、光のスペクトルの中の赤色光のピーク波長よりも小さくなるため、実験例２、３の浴光装置からは実験例１の浴光装置よりも黄色、黄緑色等の光が出射される。このため、実験例１の浴光装置では、使用者が着ている服の色合いが、実際の色合いと同様に見えるため、他人に違和感を与える難くなる。なお、浴光装置から出射する光の波長約５５０ｎｍ以上６００ｎｍ以下の間での極小となる、青色光のピーク波長に対する相対強度は、０．０５以上であることが好ましい。
【００７３】
［作用効果］
次に、本実施の形態における浴光装置の作用効果について説明する。
【００７４】
上述したように、本実施の形態に係る浴光装置は、さらに、白色光を出射する白色光源７３を備える。また、光には、白色光がさらに含まれる。そして、光のスペクトルにおける波長５５０ｎｍ以上６００ｎｍ以下の間で極小となる、青色光のピーク波長に対する相対強度は、０．０３以上である。
【００７５】
これによれば、白色光における波長５５０ｎｍ以上６００ｎｍ以下の間で極小となる、青色光のピーク波長に対する相対強度が０．０３以上である。このため、使用者の衣服の色が白色光の基での色見と異なって見えることを抑制することができる。このため、光が照射された使用者の見栄えを、より改善することができる。
【００７６】
本実施の形態における他の作用効果についても、実施の形態１と同様の作用効果を奏する。
【００７７】
（その他変形例等）
以上、本開示について、実施の形態１、２に基づいて説明したが、本開示は、上記実施の形態１、２に限定されるものではない。
【００７８】
例えば、上記実施の形態１、２に係る浴光装置における配光パネルは、環境によって使用者と使用者の隣人との距離が変わるため、環境に応じて配光パネルを取り換えることができてもよい。このため、上記実施の形態１、２で用いた配光パネルに限定されない。
【００７９】
また、上記実施の形態１、２に係る浴光装置について、青色光のピーク波長に対する赤色光のピーク波長の相対強度は、青色発光素子の数と赤色発光素子の数とを調節することで実現しているが、赤色光源に投入する投入電力を変えることで実現してもよい。この場合、例えば、青色光源、赤色光源等の各々に電力を供給する制御回路により実現する。
【００８０】
また、上記実施の形態１、２に係る浴光装置について、青色発光素子、赤色発光素子、白色発光素子及び緑色発光素子を選択的に用いた発光モジュールについて説明する。図９は、浴光装置の青色発光素子、赤色発光素子、白色発光素子及び緑色発光素子の各々の個数と色度座標を示す図である。図９では、発光モジュールの基板に実装した青色発光素子の個数、赤色発光素子の個数、緑色発光素子の個数及び白色発光素子の個数と浴光装置１から出射される色度との関係について説明する。ここで用いた白色発光素子は、色温度が６５００Ｋである。
【００８１】
実施例１では、外径側の青色発光素子が３２個、内径側の青色発光素子が１６個、赤色発光素子が８個、緑色発光素子が８個の発光モジュールを用いた。この場合、色度図の色度座標ｘ＝０．１９、ｙ＝０．１１となった。この場合、浴光装置からは、赤身がかった白色光が出射される。
【００８２】
実施例２では、外径側の青色発光素子が３２個、内径側の青色発光素子が８個、赤色発光素子が１６個、緑色発光素子が８個の発光モジュールを用いた。この場合、色度図の色度座標ｘ＝０．２５、ｙ＝０．１４となった。この場合、浴光装置からは、実施例１よりも赤身の強い光が出射される。
【００８３】
実施例３では、外径側の青色発光素子が３２個、内径側の赤色発光素子が２４個、緑色発光素子が８個の発光モジュールを用いた。この場合、色度図の色度座標ｘ＝０．３１、ｙ＝０．１７となった。この場合、浴光装置からは、実施例２よりも赤身の強い光が出射される。
【００８４】
実施例４では、外径側の白色発光素子が３２個、内径側の青色発光素子が１２個、赤色発光素子が８個、緑色発光素子が８個、白色発光素子が４個の発光モジュールを用いた。この場合、色度図の色度座標ｘ＝０．３１、ｙ＝０．１５となった。この場合、浴光装置からは、白色光が出射される。
【００８５】
実施例５では、外径側の青色発光素子が３２個、内径側の青色発光素子が８個、赤色発光素子が８個、緑色発光素子が８個、白色発光素子が８個の発光モジュールを用いた。この場合、色度図の色度座標ｘ＝０．２１、ｙ＝０．１５となった。この場合、浴光装置からは、青みがかった白色光が出射される。
【００８６】
実施例６では、外径側の青色発光素子が３２個、内径側の赤色発光素子が８個、緑色発光素子が８個、白色発光素子が１６個の発光モジュールを用いた。この場合、色度図の色度座標ｘ＝０．２４、ｙ＝０．１９となった。この場合、浴光装置からは、実施例５よりも青身の強い光が出射される。
【００８７】
実施例３では、使用者の顔が赤くなり過ぎてしまい、実施例５では、使用者の顔が青白く見えてしまう。このため、実施例１、２、４、５が実施の形態１、２の浴光装置に好ましい。
【００８８】
その他、実施の形態１、２に対して当業者が思いつく各種変形を施して得られる形態、本開示の趣旨を逸脱しない範囲で実施の形態１、２における構成要素及び機能を任意に組み合わせることで実現される形態も本開示に含まれる。
【符号の説明】
【００８９】
１  浴光装置
３  筐体
５  枠体
７、１０７  発光モジュール
９  配光パネル
３０ａ  内面
３１  第１の開口部
５０ａ  第２の開口部
７０  基板
７１  青色光源
７１ａ  青色発光素子
７２  赤色光源
７２ａ  赤色発光素子
７３  白色光源
Ｊ  浴光装置の光軸
【図１】
2019024952.tif 000003
【図２】
2019024952.tif 000004
【図３】
2019024952.tif 000005
【図４】
2019024952.tif 000006
【図５】
2019024952.tif 000007
【図６】
2019024952.tif 000008
【図７】
2019024952.tif 000009
【図８】
2019024952.tif 000010
【図９】
2019024952.tif 000011